(57)【要約】【課題】パチンコ遊技機内のスペースや電源や制御機構を無駄に使うことなく、入賞球誘導樋の通路内の球詰まりを解消させることができるパチンコ遊技機を提供する。【解決手段】パチンコ遊技機１０において、遊技球Ｔが転動する遊技領域３１ｂを表面側に有する遊技盤３０と、遊技領域に配設され遊技球が入ることが可能な入賞口５２と、入賞口の開度を調節するための開閉部材６０を備えた開閉機構９０と、開閉機構に可動子７３ａが作動連結されて開閉部材を動作させるためのアクチュエータ７３とを備えた入賞口装置１００と、遊技盤に配設され、入賞口装置の入賞口に入った遊技球を、遊技盤の表面側から裏面側へと誘導する入賞球誘導樋８０と、を備え、入賞球誘導樋を、入賞口装置の近傍を通過するように配置することで、開閉機構又は可動子がアクチュエータの作動によって入賞球誘導樋に対して衝突するようにした。【選択図】図５
2010172501.tif 000002
【特許請求の範囲】
【請求項１】
遊技球が転動する遊技領域を表面側に有する遊技盤と、
前記遊技領域に配設され遊技球が入ることが可能な入賞口と、該入賞口の開度を調節するための開閉部材を備えた開閉機構と、該開閉機構に可動子が作動連結されて前記開閉部材を動作させるためのアクチュエータとを備えた入賞口装置と、
前記遊技盤に配設され、前記入賞口装置の前記入賞口に入った遊技球を、前記遊技盤の表面側から裏面側へと誘導する入賞球誘導樋と、
を備え、
前記入賞球誘導樋を、前記入賞口装置の近傍を通過するように配置することで、前記開閉機構又は前記可動子が前記アクチュエータの作動によって前記入賞球誘導樋に対して衝突するようにしたことを特徴とするパチンコ遊技機。
【発明の詳細な説明】
【技術分野】
【０００１】
本発明はパチンコ遊技機に関し、特に、入賞口に入った遊技球を誘導する入賞球誘導樋における球詰まりを解消する機構を有するパチンコ遊技機に関するものである。
【背景技術】
【０００２】
従来、パチンコ遊技機には、入賞口に入った遊技球が通る入賞球誘導樋や、アウト口から排出された遊技球が通る通路や、台島から賞球として供給される遊技球が通る通路など、遊技球が通る遊技球通路が複数配設されている。このような遊技球通路では、１度に多くの遊技球が通過しようとしたときなどに、その通路内で遊技球が球詰まりを起こしてしまう場合がある。
【０００３】
このような不具合に対して、遊技球通路の壁面等にセンサ及び振動装置を配設しておき、センサがその通路内での球詰まりの発生を検知したときには、振動装置を作動させて遊技球通路を振動させ、これにより通路内で球詰まりを起こしている遊技球に振動を与えて、その球詰まりを解消させる制御を行うものが提案されている（例えば、特許文献１参照）。
【先行技術文献】
【特許文献】
【０００４】
【特許文献１】特開２００４−４１８１０号公報
【発明の概要】
【発明が解決しようとする課題】
【０００５】
しかしながら、前記した特許文献１に記載したようなパチンコ遊技機では、遊技球通路の球詰まりを解消させるだけのために、遊技球通路の壁面等に専用のセンサや専用の振動装置を配設しておく必要がある。また、センサや振動装置を作動させるために電源を確保しておく必要がある。さらに、球詰まり解消用の制御を行う必要がある。
【０００６】
このように、球詰まり解消専用のセンサや振動装置の設置のためにパチンコ遊技機内にスペースを確保しておくことや、球詰まり解消専用のセンサや振動装置の作動用に電源を確保しておくこと、さらに球詰まり解消用の制御を行うことは、パチンコ遊技機の本来の遊技には必要ない非常用のものであり、できれば省きたいものであった。
【０００７】
本発明は、このような事情に鑑みてなされたものであり、入賞口の開閉を行う機構が球詰まり解消用の振動装置を兼ねると共に、センサ等で監視したり専用の制御を行ったりすることなく球詰まり解消に対応できる仕組みとすることで、球詰まり解消専用のセンサや振動装置や制御装置を配設しなくても良く、その結果、パチンコ遊技機内のスペースや電源や制御機構を無駄に使うことなく、入賞球誘導樋の通路内の球詰まりを解消させることができるパチンコ遊技機を提供することを目的とする。
【課題を解決するための手段】
【０００８】
かかる課題を解決するために、本発明の請求項１に記載の発明は、遊技球が転動する遊技領域を表面側に有する遊技盤と、前記遊技領域に配設され遊技球が入ることが可能な入賞口と、該入賞口の開度を調節するための開閉部材を備えた開閉機構と、該開閉機構に可動子が作動連結されて前記開閉部材を動作させるためのアクチュエータとを備えた入賞口装置と、前記遊技盤に配設され、前記入賞口装置の前記入賞口に入った遊技球を、前記遊技盤の表面側から裏面側へと誘導する入賞球誘導樋と、を備え、前記入賞球誘導樋を、前記入賞口装置の近傍を通過するように配置することで、前記開閉機構又は前記可動子が前記アクチュエータの作動によって前記入賞球誘導樋に対して衝突するようにしたパチンコ遊技機としたことを特徴とする。
【発明の効果】
【０００９】
請求項１に係る発明によれば、入賞口に入った遊技球を誘導する入賞球誘導樋を、入賞口装置の近傍を通過するように配置することで、入賞口装置の開閉機構又は可動子がアクチュエータの作動によって入賞球誘導樋に対して衝突するようにしたため、この機構で球詰まり解消用の振動装置を構成させることができる。さらに、パチンコ遊技機の遊技中には、入賞口装置の開閉部材を動作させることが所定の間隔をもって行われることから、入賞球誘導樋に対する振動を定期的に起こすことができる。これらにより、球詰まり解消用のセンサでの監視や制御を必要としない仕組みとなり、その結果、球詰まり解消専用のセンサや振動装置や制御装置を設ける必要がなく、パチンコ遊技機内のスペースや電源や制御機構を無駄に使うことなく、入賞球誘導樋の通路内の球詰まりを解消させることができる。
【図面の簡単な説明】
【００１０】
【図１】本発明の実施の形態におけるパチンコ遊技機を表面側からみた斜視図である。
【図２】同パチンコ遊技機を背面側からみた斜視図である。
【図３】同パチンコ遊技機の遊技盤の正面図である。
【図４】図３のIV部を拡大した上大入賞口付近の拡大正面図である。
【図５】開閉可動片が閉状態のときの図４に示す範囲を遊技盤の裏面側から見た裏面図である。
【図６】図４のVI−VI線での断面を示す縦断面図である。
【図７】開閉可動片が開状態のときの図４に示す範囲を遊技盤の裏面側から見た裏面図である。
【発明を実施するための形態】
【００１１】
以下、本発明の実施の形態におけるパチンコ遊技機について図面を参照しながら説明する。図１は、本発明の実施の形態におけるパチンコ遊技機を表面側からみた斜視図であり、図２は、同パチンコ遊技機を背面側からみた斜視図である。
【００１２】
本発明の実施の形態におけるパチンコ遊技機１０は、図１に示すように、外枠１１、前枠１２、窓枠１３及び当該窓枠１３に覆われた遊技盤３０（後述）などを備えている。また、パチンコ遊技機１０の背面には、図２に示すように、液晶ディスプレイ型の演出表示装置４１（後述）などの表示制御を行う表示サブ基板２１、各種遊技音の出力制御を行う音サブ基板２２、入賞時におけるパチンコ遊技機１０の動作等を含むパチンコ遊技機１０の主要な動作を制御する主基板２３、パチンコ球（遊技球）の払い出し動作を制御する払出基板２４、各基板等に電源を供給する電源基板２５等の各種基板が例えば透明ケースに収納された状態で取り付けられている。
【００１３】
具体的に、外枠１１は、パチンコホールの台島に設置されており、図１に示すように、前後面が開口するように四角筒状に形成されている。前枠１２は、外枠１１の前端面に左側辺部の垂直な軸を中心に回動可能に装着されている。また、この前枠１２の前面下部には、上面が開口する下皿１４と、上面が開口する上皿１５とが固定されている。
【００１４】
下皿１４の右端周辺にはハンドル台１６が固定されており、ハンドル台１６には発射ハンドル１９が回動自在に装着されている。この発射ハンドル１９の後方には発射モータが固定されており、発射モータの回転軸には打球槌が連結されている。この発射モータは打球槌の駆動源に相当するものであり、発射ハンドル１９が回動操作されたときには発射モータに駆動電源が供給される。その結果、打球槌が駆動して上皿１５内のパチンコ球が弾き出される。
【００１５】
窓枠１３は前枠１２の前面に装着されている。この窓枠１３には円形孔状の窓部１７が形成されており、窓部１７の内周面には透明なガラスやアクリル等からなる透明板１７ａが固定されている。この窓枠１３の左上隅部及び右上隅部の裏面には、遊技音を出力するスピーカ１８が固定されている。また、窓枠１３には複数の装飾ＬＥＤが固定されている。
【００１６】
上述の遊技盤３０は、前枠１２の後面に装着されている。以下、この遊技盤３０及び遊技盤３０に備えられる各構成部材について図３を参照して詳細に説明する。図３は、本発明の実施の形態における遊技盤３０の正面図である。この遊技盤３０は、上述のように前枠１２の後面に装着されており、窓枠１３の透明板１７ａに前方から覆われている。
【００１７】
遊技板３１は、遊技盤３０の有する各構成部材を固定するための板である。ガイドレール３２は、この遊技板３１の表面側に固定されて、この遊技板３１上に、パチンコ球の発射通路３１ａと遊技領域３１ｂとを形成する。遊技領域３１ｂには複数の障害釘３５が打ち込まれている。上述の打球槌が弾いたパチンコ球は、発射通路３１ａを通して遊技領域３１ｂ内に放出される。そして、遊技領域３１ｂ内に放出されたパチンコ球は障害釘３５に当りながら転動して遊技領域３１ｂ内を落下する。
【００１８】
遊技盤３０のほぼ中央部には、センター役物と呼ばれるカラー液晶ディスプレイ等を用いた演出表示装置４１が設けられている。この演出表示装置４１は、大当り遊技状態を発生させるか否かの判定結果に基づき変動演出表示を行う広い面積の表示画面４１ａを有している。また、演出表示装置４１の例えば右上部から右側部下方にかけてと、左側部とに、それぞれ固定演出部材４３，４４が設置され、演出表示装置４１の直下部に可動演出役物４５が設置されている。可動演出役物４５は、演出表示装置４１の表示画面４１ａで行われる変動演出表示などのパチンコ遊技機１０の演出制御に応じて可動することで遊技の演出を行うようになっており、図示しないアクチュエータ（ソレノイド、モータ等）に駆動されて、少なくとも一軸方向（本実施の形態ではパチンコ遊技機の上下方向）Ａに往復動するようになっている。
【００１９】
また、遊技領域３１ｂ内において、演出表示装置４１及び可動演出役物４５の下方には始動入賞口４８が配置されている。この始動入賞口４８は、パチンコ球が入賞することによって、遊技者に有利な大当り遊技状態を発生させるか否かの判定を行う起点となるものであり、上方に開口するポケット状に形成されており、開閉可能な一対の開閉自在な可動片４８ａを備えている。始動入賞口４８は、可動片４８ａが閉塞されているときには開口面積が小さくなってパチンコ球が入賞し難くなり、可動片４８ａが開放されているときには開口面積が大きくなってパチンコ球が入賞し易くなる。
【００２０】
また、始動入賞口４８の下方には、下大入賞口５１が配置されている。この下大入賞口５１は図示しないアクチュエータの作動により開閉する開閉扉５１ａを備えており、この開閉扉５１ａは、遊技状態が後述する所定の大当り遊技状態になると開口し、その際には下大入賞口５１が上方に向かってポケット状に幅広く開口し、多数のパチンコ球が同時かつ連続的に下大入賞口５１に入賞可能となる。
【００２１】
さらに、遊技盤３０には、本発明の入賞口装置としての上大入賞口装置１００を備えている。この上大入賞口装置１００は、遊技領域３１ｂにおける演出表示装置４１の例えば左上部付近に配設された、遊技球が入ることが可能な本発明の入賞口としての上大入賞口５２と、この上大入賞口５２の開度を調節するための、本発明の開閉部材としての開閉可動片６０を備えた開閉機構９０と、この開閉機構９０に本発明の可動子としてのプランジャ７３ａが作動連結されて開閉可動片６０を動作させるための、本発明のアクチュエータとしてのソレノイド７３とを備えている。
【００２２】
また、遊技盤３０には、上大入賞口装置１００の上大入賞口５２に入った遊技球を、遊技盤３０の表面側から裏面側へと誘導する入賞球誘導樋８０が配設されている。本実施の形態の入賞球誘導樋８０は、入賞部５６と、この入賞部５６に続く傾斜樋８１と、その先に形成された入賞球排出樋８２とを有している。
【００２３】
以下、上大入賞口装置１００及び入賞球誘導樋８０に関わる部分について図４〜図７を参照してさらに詳細に説明する。図４は、図３のIV部を拡大した上大入賞口付近の拡大正面図であり、図５は、開閉可動片が閉状態のときの図４に示す範囲を遊技盤の裏面側から見た裏面図であり、図６は、図４のVI−VI線での断面を示す縦断面図であり、図７は、開閉可動片が開状態のときの図４に示す範囲を遊技盤の裏面側から見た裏面図である。
【００２４】
まず、入賞球誘導樋８０の入賞部５６と、上大入賞口装置１００の上大入賞口５２と、同じく上大入賞口装置１００の開閉機構９０の特に開閉可動片６０について詳述する。図３及び図４に示すように、演出表示装置４１の左上部の範囲は、透明な樹脂材料によって樹脂成形された装飾カバー部材５４により部分的に覆われている。この装飾カバー部材５４は、図６にも示すように複数のビス５５により遊技板３１の前面に締結されており、この装飾カバー部材５４に入賞部５６が一体成形、又は嵌め込み、或いは接着等により設けられている。入賞部５６の位置は演出表示装置４１の直上部である。
【００２５】
図６に示すように、入賞部５６は、装飾カバー部材５４の表面から寸法Ｌだけ盛り上がり、上方に開口する入賞開口部５６ａを有するポケット状に形成され、且つ透明な樹脂材料等により光透過構造とされている。また、装飾カバー部材５４に一体成形された装飾凸部５４ａが、上大入賞口５２における入賞開口部５６ａの上方を右側から庇状に覆っている（図４参照）。
【００２６】
一方、入賞部５６（入賞開口部５６ａ）の左上部近傍には、遊技盤３０の板面に直交する回動軸５８を支点にして、本発明の開閉部材としての開閉可動片６０が回動可能に軸支されている。この開閉可動片６０は入賞開口部５６ａを含む上大入賞口５２を開閉してその開度を調節する部品であり、図４中に実線で示す閉塞位置６０ａと鎖線で示す開放位置６０ｂとの間を回動して可変する。
【００２７】
開閉可動片６０が閉塞位置６０ａにあるときには、開閉可動片６０と装飾凸部５４ａとにより入賞部５６（入賞開口部５６ａ）の上方の空間が閉塞されるため、上大入賞口５２はパチンコ球Ｔが入賞困難（本実施の形態では入賞不可能）な閉状態に形状を変形させる。また、開閉可動片６０が開放位置６０ｂにあるときには、開閉可動片６０と装飾凸部５４ａとの間にパチンコ球Ｔの通過スペース６１が生じ、入賞開口部５６ａの上方の空間が開放されるため、上大入賞口５２はパチンコ球Ｔが入賞容易（本実施の形態では入賞可能）な開状態に形状を変形させる。
【００２８】
上大入賞口５２が開状態にあるときに開閉可動片６０と装飾凸部５４ａとの間に生じるパチンコ球Ｔの通過スペース６１の上方には、複数の障害釘３５が逆八の字状に配列されているため、多数のパチンコ球Ｔが障害釘３５に誘導されて上大入賞口５２（入賞開口部５６ａ）に入ることが可能になる。
【００２９】
そして、遊技状態が後述する所定の大当り遊技状態になると、開閉可動片６０は、開状態と閉状態を所定間隔で複数回繰り返すように変動し、これにより上大入賞口５２にパチンコ球が入賞可能な状態となる。
【００３０】
次に、入賞球誘導樋８０における前記した入賞部５６を除く傾斜樋８１と入賞球排出樋８２について詳述する。図５〜図７に示すように、傾斜樋８１は少なくとも底面と両側面を有する筒状又は半筒状に形成され、本実施の形態の傾斜樋８１は、装飾カバー部材５４とバックカバー部材６５とを貫通する筒状（上面８１ａと底面と両側面を有するトンネル通路状）に形成され、その通路方向が遊技者側に指向している。また、この傾斜樋８１は、入賞部５６に続く形で遊技盤３０の表面側から裏面側に向かって直線的、かつ、略水平方向（入賞部５６から遊技盤３０の裏面側に向かって軽く下方に傾斜した角度。本発明では、垂直に近い傾斜でなく、水平に近い傾斜のことを略水平ということとする。）に延びている。また、この入賞球誘導樋８０における傾斜樋８１は、後述する上大入賞口装置１００の開閉機構９０又はソレノイド７３におけるプランジャ７３ａの近傍を通過するように配置されており、具体的には、プランジャ７３ａ（後述）が下方に突出したソレノイド７３の直下を通るように形成されている。
【００３１】
他方、バックカバー部材６５には角パイプ状の入賞球排出樋８２が数点のビス８３で固定されている。この入賞球排出樋８２は、その入口部８２ａ（図５参照）が傾斜樋８１の後端部にほぼ直角な角度で連通し、ここからバックカバー部材６５の下縁に沿って略水平方向（入口部８２ａから下流（図５の右側）に向かって軽く下方に傾斜した角度）で横方に延び、その先に図示しないパチンコ球回収装置が接続される。
【００３２】
さらに、傾斜樋８１の中間部には入賞球検出センサ８６が付設されている。この入賞球検出センサ８６は、パチンコ遊技機に一般的に用いられているコイル式のセンサであり、基板等が組み込まれたセンサ本体８６ａと、リング状のコイル部８６ｂとを具備している。コイル部８６ｂには、パチンコ球Ｔが通過する開口８６ｃが形成されており、開口８６ｃの内径サイズは傾斜樋８１の内径サイズに等しくされている。そして、傾斜樋８１を通過するパチンコ球Ｔが開口８６ｃを通過すると、コイル部８６ｂの磁気特性が変化し、この変化が遊技球検出センサ８６に検出され、その検出データが主基板２３等の制御装置に入力されるようになっている。
【００３３】
次に、上大入賞口装置１００における前記した開閉可動片６０を含む開閉機構９０と、同じく上大入賞口装置１００において開閉機構９０にプランジャ７３ａが作動連結されたソレノイド７３について詳述する。図５〜図７に示すように、装飾カバー部材５４の裏面側には樹脂製のバックカバー部材６５がビス６６により固定されており、このバックカバー部材６５に形成された軸受部６７（図５及び図７参照）に前記回動軸５８の中間部が軸支され、この回動軸５８の後端部が軸受部６７から突出し、この突出部に駆動レバー６８が回転一体に設けられ、駆動レバー６８にレバー部６８ａが突設されており、これらと開閉可動片６０とで開閉機構９０を構成している。
【００３４】
また、バックカバー部材６５には金属板からなるソレノイドブラケット７１が２個のビス７２で締結され、このソレノイドブラケット７１の内側にアクチュエータであるソレノイド７３が２個のビス７４で締結されている。ソレノイド７３は、そのプランジャ７３ａが下方に突出している。プランジャ７３ａの下端には樹脂製のエンド部材７６が固定され、このエンド部材７６に一体成形されたコの字形のレバーホルダ７６ａが駆動レバー６８のレバー部６８ａを把持している。これにより、開閉機構９０にプランジャ７３ａが作動連結されている。また、プランジャ７３ａの周囲且つソレノイド７３とエンド部材７６との間にリターンスプリング７８が弾装されている。
【００３５】
ソレノイド７３の非通電時には、リターンスプリング７８の付勢力によりプランジャ７３ａがソレノイド７３から下方に突出した状態に保持され、これによりエンド部材７６のレバーホルダ７６ａが、作動連結された駆動レバー６８のレバー部６８ａを下方に押し下げて、傾斜樋８１の上面８１ａで動きを規制されて係止する図５の状態となり、このときに遊技盤３０の表側では開閉可動片６０が閉塞位置６０ａに置かれて上大入賞口５２が閉状態となる。このように、本実施の形態では、傾斜樋８１を構成する上面８１ａが、ソレノイド７３の動きを規制することで開閉可動片６０の閉状態の最大位置（開状態の最大位置の場合もあり）を規制するストッパ部材を兼ねるように構成されている。
【００３６】
また、ソレノイド７３に通電がなされると、ソレノイド７３がリターンスプリング７８の付勢力に抗してプランジャ７３ａを上方に引き上げ、これによりレバーホルダ７６ａが、作動連結されたレバー部６８ａを上方に持ち上げて傾斜樋８１の上面８１ａから離間する図７の状態となる。このとき、遊技盤３０の表側では開閉可動片６０が回動して開放位置６０ｂに移動し、上大入賞口５２が開状態となる。
【００３７】
なお、遊技盤３０の遊技領域３１ｂ内には、先述の始動入賞口４８、下大入賞口５１、上大入賞口５２の他に、図示しない複数の一般入賞口が設置されている。
【００３８】
以上のように構成されたパチンコ遊技機１０において、その遊技時には、始動入賞口４８へのパチンコ球Ｔの入賞を契機に、例えば主基板２３により当り抽選の演算が実行され、その抽選イメージ及び抽選結果が変動表示遊技として、演出表示装置４１の表示画面４１ａで行われる変動演出表示や各種役物で行われる演出により遊技者に報知される。そして、抽選結果が大当たりとなった場合には、上大入賞口５２又は下大入賞口５１（或いは両方）が所定時間及び所定回数開放され、上大入賞口５２及び下大入賞口５１にパチンコ球Ｔを入賞し易くする大当り遊技状態を発生させる。
【００３９】
そして、所定の大当り遊技状態において、上大入賞口５２が開状態となる際には、ソレノイド７３に通電がなされ、図７に示すように、ソレノイド７３がリターンスプリング７８の付勢力に抗してプランジャ７３ａを上方に引き上げ、これによりレバーホルダ７６ａがレバー部６８ａを上方に持ち上げて、当該レバーホルダ７６ａが傾斜樋８１の上面８１ａから離間する。これにより、開閉可動片６０が回動して図４中に鎖線で示す開放位置６０ｂに移動することで、上大入賞口５２が開状態となる。
【００４０】
また、所定の大当り遊技状態中又は大当り遊技状態の終了時において、上大入賞口５２が閉状態となる際には、ソレノイド７３の通電が切られ、このソレノイド７３の作動により、図５に示すように、リターンスプリング７８の付勢力によりプランジャ７３ａがソレノイド７３から飛び出して下方に突出する。これにより、レバーホルダ７６ａがレバー部６８ａを下方に押し下げて、当該レバーホルダ７６ａが入賞球誘導樋８０の傾斜樋８１の上面８１ａに衝突し、その結果、動きを規制されて係止する。これにより、開閉可動片６０が回動して図４中に実線で示す閉塞位置６０ａに移動することで、上大入賞口５２が閉状態となる。
【００４１】
また、プランジャ７３ａがソレノイド７３から飛び出して下方に突出し、レバーホルダ７６ａがストッパ部材である傾斜樋８１の上面８１ａに衝突して動きを規制されて係止する際に、レバーホルダ７６ａが勢い良く飛び出すため、当該レバーホルダ７６ａが傾斜樋８１の上面８１ａに衝突して当接した際に衝撃が起きる。
【００４２】
この衝撃で、傾斜樋８１（又は、入賞球誘導樋８０を構成する入賞部５６と傾斜樋８１と入賞球排出樋８２の全て）に振動を起こすことができ、この振動により、万が一傾斜樋８１（又は、入賞球誘導樋８０）の通路内で球詰まりが発生しているときには、当該球詰まりを解消させることができる。すなわち、ソレノイド７３に固定されたエンド部材７６のレバーホルダ７６ａと、ストッパ部材を兼ねる傾斜樋８１の上面８１ａとで、通路内を振動させる振動装置を構成している。そのため、球詰まり解消専用に振動装置やその駆動用の電源を配設しなくても、通路内の球詰まりを解消することができる。
【００４３】
また、この振動は、上大入賞口５２が開状態から閉状態となる度に発生するため、通路内に球詰まりが発生しているか否かに拘わらず、定期的に振動を起こすことができ、特に球詰まり解消用にセンサを設けたり監視制御を行ったりする必要がない。そのため、球詰まり解消用のセンサや制御装置も必要ない。
【００４４】
これらにより、パチンコ遊技機１０内に振動装置や電源、センサ、制御装置等を配設するスペースを確保する必要がなくなり、また、特に電源や制御機構を用いることなく、入賞球誘導樋８０の通路内の球詰まりを解消させることができる。
【００４５】
以上のように、本実施の形態のパチンコ遊技機１０によれば、まず、入賞球誘導樋８０の傾斜樋８１を、上大入賞口装置１００の近傍を通過するように配置することで、上大入賞口装置１００のプランジャ７３ａ（又は、開閉機構９０）がソレノイド７３の作動によって入賞球誘導樋８０の傾斜樋８１に対して衝突するようにしたため（詳しくは、上大入賞口５２に入賞したパチンコ球Ｔを誘導する入賞球誘導樋８０の傾斜樋８１を構成する何れかの面（ここでは、上面８１ａ）が、上大入賞口５２の開閉を行う開閉可動片６０の閉状態又は開状態の最大位置を規制する（ここでは、ソレノイド７３の動きを規制することで開閉可動片６０の閉状態の最大位置を規制している）ストッパ部材を兼ねることとしたため）、この機構で球詰まり解消用の振動装置を構成させることができる。さらに、パチンコ遊技機１０の遊技中には、上大入賞口装置１００の開閉可動片６０を動作させることが所定の間隔をもって行われることから、ストッパ部材によって入賞球誘導樋８０の傾斜樋８１に対する振動を定期的に起こすことができる。これらにより、球詰まり解消用のセンサでの監視や制御を必要としない仕組みとなっている。
【００４６】
その結果、球詰まり解消専用のセンサや振動装置や制御装置を設ける必要がなく、パチンコ遊技機１０内のスペースや電源や制御機構を無駄に使うことなく、入賞球誘導樋８０の通路内の球詰まりを解消させることができる。
【００４７】
なお、以上説明した各実施の形態は、本発明の理解を容易にするために記載されたものであって、本発明を限定するために記載されたものではない。
【００４８】
例えば、前記した実施の形態では、傾斜樋を構成する上面が、アクチュエータとしてのソレノイドの動きを規制するストッパ部材を兼ねるようになっていたが、これに限るものではなく、アクチュエータの構成、配設位置及び向き等に応じて、傾斜樋を構成する他の面（例えば、底面や側面等）が、アクチュエータの動きを規制するストッパ部材を兼ねるようになっていても良い。
【００４９】
また、前記した実施の形態では、アクチュエータとしてソレノイドを用いていたが、これに限るものではなく、モータ等の他のアクチュエータを使用しても良い。他のアクチュエータを使用した際には、そのアクチュエータの構成や動きに合わせて、ストッパ部材としての傾斜樋の面によるアクチュエータの動きの規制方法を考慮するものとする。
【００５０】
また、前記した実施の形態では、入賞口装置の可動子としてのプランジャ（詳しくは、プランジャに固定されたエンド部材に一体成形されたコの字形のレバーホルダ）がアクチュエータの作動によって入賞球誘導樋に対して衝突するようになっていた（すなわち、ストッパ部材を兼ねる傾斜樋の何れかの面が、アクチュエータの可動子であるプランジャの動きを規制するようになっていた）が、これに限るものではなく、入賞口装置の開閉機構の一部がアクチュエータの作動によって入賞球誘導樋に対して衝突するようになっていても良い。例えば、前記した実施の形態における開閉機構９０の駆動レバー６８に、レバー部６８ａとは別に、回動する向きによって傾斜樋８１の上面８１ａに衝突したり傾斜樋８１の上面８１ａから離間したりするように形成された第２の突出部を設けておき、この第２の突出部が駆動レバー６８と一体に回動して所定の位置で傾斜樋８１の上面８１ａに衝突することで、入賞球誘導樋８０に振動を与えるようになっていても良い。さらに、入賞球誘導樋に、アクチュエータの動きに連動して動く他の部材（例えば、アクチュエータと開閉部材の間に介在して作動する部材等）の一部が衝突してその動きを規制することで、入賞口の開度を調節する（開閉部材の閉状態又は開状態の最大位置を規制する）構成になっていており、これにより、入賞球誘導樋に振動を与えるようになっていても良い。
【００５１】
また、前記した実施の形態では、傾斜樋は筒状（トンネル通路状）のものであったが、これに限るものではなく、本発明は、少なくとも底面と両側面を有する傾斜樋に適用可能であり、すなわち上面が開放された半筒状（溝状）の傾斜樋にも適用可能である。
【００５２】
また、前記した実施の形態は、入賞球誘導樋のうち、傾斜樋の何れかの面がストッパ部材を兼ねることで、主に傾斜樋の球詰まりを解消する（振動が他の箇所に伝わって他の箇所の球詰まりを解消する場合もある）ものであったが、これに限るものではなく、入賞球誘導樋のうち、入賞球排出樋や入賞部の何れかの面がストッパ部材を兼ねるような構成になっていても良い。この場合は、その構成に応じて、主に入賞球排出樋又は入賞部の球詰まりを解消するものとなる。
【００５３】
また、前記した実施の形態では、本発明を適用する入賞口として、上大入賞口を用いて説明したが、これに限るものではなく、本発明は、遊技機における開閉部材を有する他の入賞口にも適用可能である。
【００５４】
また、前記した実施の形態では、入賞口は、開閉部材で遊技球が入賞不可能な閉状態と入賞可能な開状態とに可変するようになっていたが、これに限るものではなく、入賞口は、開閉部材で遊技球が入賞可能だが入賞困難な閉状態と入賞容易な開状態とに可変するものであっても良い。
【００５５】
また、前記した実施の形態では、入賞口が閉状態となる際に振動が起こるように構成されていたが、これに限るものではなく、入賞口が開状態となる際に振動が起こるように構成しても良いし、さらに、入賞口が開状態となる際にも閉状態となる際にも振動が起こるように構成しても良い。但し、前記した実施の形態のように、入賞口が開状態となって遊技球が入賞した後、入賞口を閉状態にして遊技球が入賞しなくなる際に振動を起こすことは、球詰まりが発生する条件が整った丁度良いタイミングで振動を起こすことになり、効率が良い振動の起こし方であると言えるものである。
【符号の説明】
【００５６】
１０…パチンコ遊技機、３０…遊技盤、３１ｂ…遊技領域、５２…上大入賞口（入賞口）、６０…開閉可動片（開閉部材）、７３…ソレノイド（アクチュエータ）、７３ａ…プランジャ（可動子）、８０…入賞球誘導樋、８１…傾斜樋、８１ａ…上面（ストッパ部材）、９０…開閉機構、１００…上大入賞口装置（入賞口装置）、Ｔ…パチンコ球（遊技球）
【図１】
2010172501.tif 000003
【図２】
2010172501.tif 000004
【図３】
2010172501.tif 000005
【図４】
2010172501.tif 000006
【図５】
2010172501.tif 000007
【図６】
2010172501.tif 000008
【図７】
2010172501.tif 000009